(57)【要約】【課題】フィルタ及びフィルタを清掃するための器具を清掃することなく、常に清浄なフィルタを使用することが可能な空気調和機及びイオン発生装置を提供する。【解決手段】制御部１０は、埃センサ９によって空気中の塵埃の量を検知し、検知した塵埃の量に基づいて、フィルタを巻き取る時間間隔（巻き取り間隔）を設定する。制御部１０は、現在使用中のフィルタの使用時間が、設定した巻き取り間隔以上となった場合にサーボモータ１６を駆動させて駆動軸及び巻き取り芯を回転させ、フィルタを所定長巻き取る。【選択図】図３
2011112283.tif 000002
【特許請求の範囲】
【請求項１】
空気を吸い込む吸込口と、該吸込口から吸い込まれた空気を加熱又は冷却する熱交換器と、該熱交換器によって加熱又は冷却された空気を吹き出す吹出口とを備える空気調和機において、
巻紙状に収納され、前記吸込口から吸い込まれた空気中の塵埃を除去するフィルタと、
該フィルタの巻芯に平行に設けられ、前記フィルタを巻き取るローラと、
該ローラが前記フィルタを巻き取るタイミング及び巻き取り量を制御する制御部と
を備えることを特徴とする空気調和機。
【請求項２】
空気中の塵埃の量を検知する空気検知部を備え、
前記制御部は、前記空気検知部が検知した塵埃の量に応じたタイミングで、前記ローラに前記フィルタを巻き取らせるようにしてあることを特徴とする請求項１に記載の空気調和機。
【請求項３】
前記フィルタに付着した塵埃の量を検知するフィルタ検知部を備え、
前記制御部は、前記フィルタ検知部が検知した塵埃の量に応じて、前記ローラに前記フィルタを巻き取らせるようにしてあることを特徴とする請求項１又は２に記載の空気調和機。
【請求項４】
前記ローラによる前記フィルタの巻き取りの終了を検出する終了検出部と、
該終了検出部が前記終了を検出した場合に所定の信号を出力する出力部と
を備えることを特徴とする請求項１から３までのいずれかひとつに記載の空気調和機。
【請求項５】
前記ローラが一度に巻き取る巻き取り量は一定量であることを特徴とする請求項１から４までのいずれかひとつに記載の空気調和機。
【請求項６】
空気を吸い込む吸込口と、正イオン、負イオン又は正負両イオンを発生させるイオン発生部と、前記吸込口から吸い込まれた空気及び、前記イオン発生部が発生させた正イオン、負イオン又は正負両イオンを吹き出す吹出口とを備えるイオン発生装置において、
巻紙状に収納され、前記吸込口から吸い込まれた空気中の塵埃を除去するフィルタと、
該フィルタの巻芯に平行に設けられ、前記フィルタを巻き取るローラと、
該ローラが前記フィルタを巻き取るタイミング及び巻き取り量を制御する制御部と
を備えることを特徴とするイオン発生装置。
【発明の詳細な説明】
【技術分野】
【０００１】
本発明は、空気中の塵埃を除去するフィルタを備えた空気調和機及びイオン発生装置に関する。
【背景技術】
【０００２】
空気調和機は、吸込口から吸い込まれた室内の空気を熱交換器によって加熱又は冷却し、送風ファンの回転によって室内へ吹き出す。また空気調和機は、吸込口から吸い込まれた空気中の塵埃が空気調和機内部へ侵入することを防ぐためのフィルタを備えており、空気調和機の運転中に吸込口から吸い込まれた空気中の塵埃を除去するように構成されている。
【０００３】
空気調和機の運転時、除去された塵埃がフィルタに徐々に付着し、フィルタが徐々に目詰まりする。その結果、フィルタを通過する風量が減少して空調処理の効率が低下する。従って、フィルタを空気調和機本体から着脱可能に構成し、定期的にフィルタを空気調和機本体から取り外して表面を清掃する必要があった。
【０００４】
そこで例えば、特許文献１には、フィルタの表面に沿って移動可能な吸引ノズルと、吸引ノズルに連結された吸引装置とを備え、吸引ノズルによってフィルタの表面に付着した塵埃を吸引除去する空気調和機が開示されている。また、特許文献２には、フィルタの表面を清掃するブラシを２つ備え、２つのブラシでフィルタを挟み込んだ状態でフィルタを移動させることによってフィルタの両面を清掃する空気調和機が開示されている。
【０００５】
更に、特許文献３には、駆動軸及び従動軸によって張設されたベルト状のフィルタと、フィルタの表面に接して設けられたブラシとを備え、駆動軸が回転することによって移動するフィルタの表面の塵埃をブラシで除去する空気調和機が開示されている。特許文献１〜３に開示された空気調和機によれば、フィルタを空気調和機本体から取り外すことなく、フィルタの表面を自動で清掃でき、フィルタのメンテナンスの手間を削減できる。
【先行技術文献】
【特許文献】
【０００６】
【特許文献１】特開２００５−１４０４０５号公報
【特許文献２】特開２００４−２８４８７号公報
【特許文献３】特開平６−７４５２１号公報
【発明の概要】
【発明が解決しようとする課題】
【０００７】
しかしながら、特許文献１に開示された空気調和機は、吸引ノズルによってフィルタの表面の塵埃を吸引するので、浮いたような状態でフィルタに付着している綿埃等は容易に吸引できるが、フィルタの網目に絡んだ塵埃、油分を含む塵埃等のようにフィルタにこびりついた塵埃を除去することは困難であるという問題を有する。
【０００８】
また、特許文献２，３に開示された空気調和機は、ブラシによってフィルタの表面の塵埃を掻き取るので、フィルタにこびりついた塵埃をある程度除去できるが、除去された塵埃がブラシの繊維に入り込み、ブラシ自体が汚れてしまう虞がある。その結果、フィルタの清掃性能が低下すると共に、ブラシの繊維に入り込んだ塵埃が、フィルタの清掃時にフィルタに再度付着する可能性がある。従って、特許文献２，３に開示された空気調和機は、ブラシを含む清掃部を定期的に清掃する必要があるという問題を有する。
【０００９】
本発明は斯かる事情に鑑みてなされたものであり、その目的とするところは、フィルタ及びフィルタを清掃するための器具を清掃することなく、常に清浄なフィルタを使用することが可能な空気調和機及びイオン発生装置を提供することにある。
【課題を解決するための手段】
【００１０】
本発明に係る空気調和機は、空気を吸い込む吸込口と、該吸込口から吸い込まれた空気を加熱又は冷却する熱交換器と、該熱交換器によって加熱又は冷却された空気を吹き出す吹出口とを備える空気調和機において、巻紙状に収納され、前記吸込口から吸い込まれた空気中の塵埃を除去するフィルタと、該フィルタの巻芯に平行に設けられ、前記フィルタを巻き取るローラと、該ローラが前記フィルタを巻き取るタイミング及び巻き取り量を制御する制御部とを備えることを特徴とする。
【００１１】
本発明によれば、吸込口から吸い込んだ空気を加熱又は冷却して吹出口から吹き出す空気調和機に、吸込口から吸い込んだ空気中の塵埃を除去するフィルタが巻紙状に収納されている。また、フィルタの巻芯に平行にフィルタを巻き取るローラが設けられている。制御部は、ローラがフィルタを巻き取るタイミング及び巻き取り量を制御する。よって、ローラが、制御部からの制御に従った適切なタイミングで、塵埃が付着したフィルタを巻き取るので、常に清浄なフィルタの使用が可能となる。
【００１２】
本発明に係る空気調和機は、空気中の塵埃の量を検知する空気検知部を備え、前記制御部は、前記空気検知部が検知した塵埃の量に応じたタイミングで、前記ローラに前記フィルタを巻き取らせるようにしてあることを特徴とする。
【００１３】
本発明によれば、制御部は、空気中の塵埃の量に応じたタイミングでローラにフィルタを巻き取らせる。空気中の塵埃が多い室内で空気調和機が使用される場合には、空気中の塵埃が少ない室内で使用される場合と比較して、フィルタに所定量の塵埃が付着するまでに要する時間が短いことが予想される。よって、空気中の塵埃の量に応じてローラがフィルタを巻き取る時間間隔を異ならせることにより、空気中の塵埃の量に拘わらず常に清浄なフィルタの使用が可能となる。
【００１４】
本発明に係る空気調和機は、前記フィルタに付着した塵埃の量を検知するフィルタ検知部を備え、前記制御部は、前記フィルタ検知部が検知した塵埃の量に応じて、前記ローラに前記フィルタを巻き取らせるようにしてあることを特徴とする。
【００１５】
本発明によれば、制御部は、フィルタに付着した塵埃の量に応じてローラにフィルタを巻き取らせる。よって、フィルタに実際に付着した塵埃の量を考慮してフィルタを巻き取ることができ、フィルタの汚れ具合を常に一定未満に保つことが可能となる。
【００１６】
本発明に係る空気調和機は、前記ローラによる前記フィルタの巻き取りの終了を検出する終了検出部と、該終了検出部が前記終了を検出した場合に所定の信号を出力する出力部とを備えることを特徴とする。
【００１７】
本発明によれば、出力部は、ローラによるフィルタの巻き取りが終了した場合に所定の信号を出力する。ローラがフィルタの巻き取りを完了した場合、新たなフィルタに交換する必要があり、その旨を使用者に通知する必要がある。従って、空気調和機は、出力部が出力した所定の信号に基づいて、フィルタの交換を通知するためのランプの点灯又は点滅、フィルタの交換を通知するメッセージの表示等を行なうことが可能となる。
【００１８】
本発明に係る空気調和機は、前記ローラが一度に巻き取る巻き取り量は一定量であることを特徴とする。
【００１９】
本発明によれば、制御部は、ローラが一度に一定量のフィルタを巻き取るように制御する。フィルタ及びローラが配置される位置関係に応じてフィルタに付着する塵埃の領域の大きさが推測されるので、推測された領域を一度に巻き取るように制御することにより、常に清浄なフィルタの使用が可能となる。
【００２０】
本発明に係るイオン発生装置は、空気を吸い込む吸込口と、正イオン、負イオン又は正負両イオンを発生させるイオン発生部と、前記吸込口から吸い込まれた空気及び、前記イオン発生部が発生させた正イオン、負イオン又は正負両イオンを吹き出す吹出口とを備えるイオン発生装置において、巻紙状に収納され、前記吸込口から吸い込まれた空気中の塵埃を除去するフィルタと、該フィルタの巻芯に平行に設けられ、前記フィルタを巻き取るローラと、該ローラが前記フィルタを巻き取るタイミング及び巻き取り量を制御する制御部とを備えることを特徴とする。
【００２１】
本発明によれば、吸込口から吸い込んだ空気と、発生させた正イオン、負イオン又は正負両イオンとを吹出口から吹き出すイオン発生装置に、吸込口から吸い込んだ空気中の塵埃を除去するフィルタが巻紙状に収納されている。また、フィルタの巻芯に平行にフィルタを巻き取るローラが設けられている。制御部は、ローラがフィルタを巻き取るタイミング及び巻き取り量を制御する。よって、ローラが、制御部からの制御に従った適切なタイミングで、塵埃が付着したフィルタを巻き取るので、常に清浄なフィルタの使用が可能となる。
【発明の効果】
【００２２】
本発明では、フィルタを手動で清掃する必要がなく、また自動でフィルタを清掃するためのブラシ等の清掃器具を清掃する必要がないので、フィルタ及びフィルタの清掃器具のメンテナンスの手間を削減できる。また、常に清浄なフィルタを使用することができるので、フィルタを通過する風量が減少せず、空調処理の効率を維持できる。よって、フィルタに塵埃が付着することにより生じる消費電力の上昇、運転時の騒音の増加等を抑制することができる。
【図面の簡単な説明】
【００２３】
【図１】実施形態１の空気調和機の室内機の構成例を示す縦断面図である。
【図２】フィルタを示す模式図である。
【図３】実施形態１の空気調和機の制御系の要部構成例を示すブロック図である。
【図４】実施形態１の空気調和機における制御処理の手順を示すフローチャートである。
【図５】フィルタ及びフィルタセンサを示す模式図である。
【図６】実施形態２の空気調和機における制御処理の手順を示すフローチャートである。
【図７】実施形態３のイオン発生装置の構成例を示す縦断面図である。
【発明を実施するための形態】
【００２４】
以下に、本発明をその実施形態を示す図面に基づいて詳述する。
【００２５】
（実施形態１）
以下に、本発明に係る空気調和機を適用した実施形態１の空気調和機について説明する。図１は実施形態１の空気調和機の室内機の構成例を示す縦断面図である。本実施形態１の空気調和機１は、室内の暖房及び冷房をそれぞれ行なう暖房機能及び冷房機能を実行し、室内の温度を調節する空調動作を行なう。なお、空気調和機１は、暖房機能及び冷房機能のほかに、室内の除湿を行なう除湿機能、煙草の煙、空気中の埃等を除去する空気清浄機能、浮遊する細菌、ウィルス等を除菌する除菌機能、室内を加湿する加湿機能等を行なう構成であってもよい。また、空気調和機１は、室内／屋外の温度、湿度等に基づいて上述した各種機能を切り換える自動運転機能を行なう構成であってもよい。
【００２６】
空気調和機１は、空調すべき室内の壁に取り付けられる室内機２と、室外に設置される室外機（図示せず）とを備える。室内機２は、室内の空気を吸い込むための吸込口２ａと、空調された空気を室内へ吹き出すための吹出口２ｂとが適宜箇所に形成された筐体を備える。室内機２の内部には、吸込口２ａから吸い込まれた空気中の塵埃を除去するフィルタ６、フィルタ６によって塵埃を除去された空気を加熱又は冷却することによって空調する熱交換器３が設けられている。なお、図示しない室外機にも熱交換器が設けられており、室外機内の熱交換器と、室内機２内の熱交換器３とによって、室外の空気と室内の空気との間で熱交換処理を行なうことにより冷房機能又は暖房機能を実行する。また、フィルタ６は、室内機２に着脱可能に構成されている。
【００２７】
また、室内機２の内部には、熱交換器３によって空調された空気を送風して室内へ吹き出す送風機４、送風機４によって吹出口２ｂから室内へ吹き出される空気の吹出方向を上下方向及び左右方向に調整するルーバ５，５が更に設けられている。
【００２８】
更に、室内機２の内部の適宜箇所には、フィルタ６の取り換え時期を検出するためのフィルタ終了検出部（終了検出部）１５、吸込口２ａから吸い込まれた室内の空気中の塵埃の量を検知する埃センサ（空気検知部）９も設けられている。なお、フィルタ終了検出部１５の配置位置については後述する。また埃センサ９は、図１では、吸込口２ａから吸い込まれてフィルタ６を通過し、熱交換器３によって空調された後の空気中の塵埃の量を検知する位置に配置されているが、このような配置位置に限らない。例えば、吸込口２ａから吸い込まれてフィルタ６を通過する前の空気中の塵埃の量を検知する位置に埃センサ９を配置してもよい。
【００２９】
図２はフィルタ６を示す模式図である。なお、図２（ａ）はフィルタ６の使用開始時点の状態を、図２（ｂ），（ｃ）はフィルタ６の使用終了時点の状態をそれぞれ示している。フィルタ６は、図２（ａ）に示すように、巻き芯６ｂに巻紙状に巻かれた使い捨てのフィルタであり、開放された端辺には巻き取り芯６ａが貼付されている。具体的には、フィルタ６の開放端辺が巻き取り芯６ａの外周面に貼付されている。また、フィルタ６は、合成繊維又は天然繊維を用いて網目状に織られた布又は不織布で構成されている。
【００３０】
ここで、室内機２の適宜箇所には、サーボモータ１６（図３参照）からの駆動力によって回転駆動する駆動軸７と、回動可能に構成された従動軸８とが設けられている。図１では、駆動軸７は、室内機２の前面近傍の、吹出口２ｂよりも上方で吸込口２ａよりも下方の位置に設けられており、従動軸８は、室内機２の前面近傍の、吸込口２ａよりも上方の位置に設けられている。
【００３１】
図２（ａ）に示すようなフィルタ６は、巻き芯６ｂが従動軸８に嵌合されると共に、巻き取り芯６ａが駆動軸７に嵌合されることによって室内機２に取り付けられる。このように取り付けられたフィルタ６は、平行に配置された巻き取り芯６ａ及び巻き芯６ｂによって張架され、吸込口２ａから吸い込まれた空気が通過する領域に配置される。
【００３２】
駆動軸７は、サーボモータ１６によって図１上で反時計回りに回転駆動され、駆動軸７に嵌合された巻き取り芯（ローラ）６ａも同様に反時計回りに回転し、巻き芯６ｂに巻かれているフィルタ６を、図１，２中の矢符で示す方向に巻き取っていく。従動軸８は、巻き取り芯６ａによるフィルタ６の巻き取り動作に従動して回転する。
【００３３】
フィルタ６には、図２（ｂ），（ｃ）に示すように、巻き芯６ｂが貼付してある端部に、フィルタ６の使用終了を示す終了マーク６ｃが施してある。終了マーク６ｃは、巻き芯６ｂとの境界全てに亘って設けられてもよいし、図２（ｂ），（ｃ）に示すように巻き芯６ｂとの境界の一部に設けられてもよい。また、終了マーク６ｃは、図２（ｂ）に示すように所定領域に所定色の着色を施して形成されてもよいし、図２（ｃ）に示すように所定領域に所定形状の孔又は切り欠きを設けて形成されてもよい。
【００３４】
室内機２の内部には、フィルタ６に形成された終了マーク６ｃの検出が可能な位置にフィルタ終了検出部１５が設けられている。図１では、フィルタ終了検出部１５は、室内機２の前面の内側の、吸込口２ａよりも上方の位置に設けられている。フィルタ終了検出部１５は、フォトセンサ又はマイクロスイッチ等の公知技術を用いて、フィルタ６の表面に形成された終了マーク６ｃを検出し、フィルタ６が全て巻き取られたことを検出する。フィルタ終了検出部（出力部）１５は、フィルタ６が全て巻き取られたことを検出した場合に所定の信号を制御部１０（図３参照）へ出力する。なお、巻き取りが完了したフィルタ６は、駆動軸７から巻き取り芯６ａが取り外され、従動軸８から巻き芯６ｂが取り外されて廃棄される。
【００３５】
上述した構成により、本実施形態１の空気調和機１では、フィルタ６が駆動軸７及び従動軸８によって適宜巻き取られることにより、常に清浄なフィルタ６の使用が可能となる。また、フィルタ６の巻き取りが完了した場合、即ち全てのフィルタ６が使用された場合、フィルタ６に取り付けられた巻き取り芯６ａ及び巻き芯６ｂと共に新たなフィルタ６に交換すればよい。よって、従来の空気調和機のようにフィルタ及びフィルタを清掃するための器具を清掃する必要がなく、フィルタのメンテナンスの手間を削減できる。
【００３６】
以下に、本実施形態１の空気調和機１の制御系の構成について説明する。図３は実施形態１の空気調和機１の制御系の要部構成例を示すブロック図である。空気調和機１は、制御部１０、記憶部１１、操作部１２、報知部１３、上述のような構成により冷房機能及び暖房機能等を実現する空調部１４、フィルタ終了検出部１５、サーボモータ１６、埃センサ９等を備えている。上述した各部はバス１０ａを介して相互に接続されている。
【００３７】
制御部１０は、ＣＰＵ（Central Processing Unit ）又はＭＰＵ（Micro Processor Unit）等である。制御部１０は、バス１０ａを介して接続される上述したようなハードウェア各部を制御すると共に、記憶部１１に予め格納されている制御プログラムを適宜実行する。記憶部１１は、ＥＥＰＲＯＭ（Electrically Erasable and Programmable ROM）、フラッシュメモリ等である。記憶部１１は、空気調和機１を本発明に係る空気調和機として動作させるために必要な種々の制御プログラム、制御部１０による制御プログラムの実行時に発生する種々のデータ等を記憶する。
【００３８】
操作部１２は、ユーザが空気調和機１を操作するために必要な各種の操作キーを備えており、冷房機能及び暖房機能の選択、目標温度の設定、風向の変更等の指示を受け付ける。なお、空気調和機１は、リモートコントロール装置によって遠隔操作できるように構成されてもよい。この場合、空気調和機１は、リモートコントロール装置から出力される信号を受信し、制御部１０が、受信した信号に基づいて暖房運転及び冷房運転を実行する。また、空気調和機１及びリモートコントロール装置は、例えば、赤外線を利用したＩｒＤＡ（Infrared Data Association）規格に従う無線通信を行なうように構成される。
【００３９】
報知部１３は、ユーザに報知すべきメッセージを表示するための表示部、所定の条件に応じて点灯又は点滅することによってユーザに報知すべき情報を報知するための報知ランプ等である。また、報知部１３は、ユーザに報知すべき音声メッセージを出力するための音声出力部、所定の報知音又は報知メロディを出力することによってユーザに報知すべき情報を報知するための音声出力部等でもよい。
【００４０】
また、報知部１３は、これらの構成を組み合わせてもよい。例えば、本実施形態１では、報知部１３は、フィルタ終了検出部１５がフィルタ６の使用終了を検出した場合に、新しいフィルタ６に交換すべき旨をユーザに報知するように構成されている。この場合、報知部１３は、新しいフィルタ６に交換すべき旨を示す音声メッセージ、報知音又は報知メロディを所定時間（例えば１分程度）出力すると共に、ユーザがフィルタ６の交換を完了するまでの間、新しいフィルタ６に交換すべき旨を示すメッセージの表示又は報知ランプの点灯（又は点滅）を行なってもよい。なお、報知方法はこれらに限らず、通常行なわれている様々な方法を用いることができる。
【００４１】
埃センサ９は、吸込口２ａから吸い込まれてフィルタ６を通過し、熱交換器３によって空調された空気中の塵埃の量を検知する。なお、埃センサ９は、公知の技術を用い、例えば１ｍ3 の空気中に含まれる浮遊粉塵の重さを検知する。また、埃センサ９は、空気調和機１の運転開始時、又は駆動軸７によるフィルタ６の巻き取りが行なわれた直後に塵埃の量を検知する。
【００４２】
以下に、本実施形態１の空気調和機１における制御処理について説明する。図４は実施形態１の空気調和機１における制御処理の手順を示すフローチャートである。なお、以下の処理は、記憶部１１に格納されている制御プログラムに従って制御部１０によって実行される。
【００４３】
空気調和機１が運転を開始した場合、制御部１０は、前回の運転時における空気中の塵埃の量を示す情報と、現在使用中のフィルタ６の使用時間（フィルタ６が巻き取られてからの空気調和機１の運転時間）とが記憶部１１に記憶されているか否かを判断する（Ｓ１）。本実施形態１の空気調和機１は、運転中における空気中の塵埃の量に応じて、駆動軸７によるフィルタ６の巻き取りタイミングを異ならせており、空気中の塵埃が多いほど、フィルタ６を巻き取る時間間隔を短くしている。また、本実施形態１の空気調和機１は、空気中の塵埃の量に応じたフィルタ６の巻き取り間隔を、駆動軸７によってフィルタ６を巻き取った直後に設定するようにしている。従って、制御部１０は、空気調和機１の運転開始時に、前回運転時の空気中の塵埃の量と、現在使用中のフィルタ６の使用時間とを確認する。
【００４４】
前回運転時の塵埃の量とフィルタ６の使用時間とが記憶部１１に記憶されていないと判断した場合（Ｓ１：ＮＯ）、例えば、空気調和機１を初めて使用する場合、制御部１０は、埃センサ９によって空気中の塵埃の量を検知する（Ｓ２）。制御部１０は、検知した塵埃の量に基づいて、駆動軸７によってフィルタ６を巻き取る時間間隔（巻き取り間隔）を設定する（Ｓ３）。なお、空気中の塵埃の量に対応する巻き取り間隔は、予め実験的に算出されて記憶部１１に格納されており、制御部１０は、検知した塵埃の量に応じた巻き取り間隔を記憶部１１から読み出して設定する。巻き取り間隔は、例えば、１ｍ3 の空気中の塵埃の量が０．１ｍｇ未満であれば１８００時間、０．１ｍｇ以上０．３ｍｇ未満であれば６００時間、０．３ｍｇ以上であれば２００時間など、空気中の塵埃が多いほど短い時間が設定される。
【００４５】
制御部１０は、この時点で駆動軸７及び従動軸８によって吸込口２ａに対向する位置に張架されているフィルタ６の使用時間の計時を開始する（Ｓ４）。なお、制御部１０は時計手段を有する。
【００４６】
一方、前回運転時の塵埃の量とフィルタ６の使用時間とが記憶部１１に記憶されていると判断した場合（Ｓ１：ＹＥＳ）、制御部１０は、ステップＳ２の処理をスキップし、記憶部１１に記憶されていた塵埃の量に基づいてフィルタ６の巻き取り間隔を設定する（Ｓ３）。即ちこの場合、制御部１０は、今回運転時の空気中の塵埃の量ではなく、前回運転時の空気中の塵埃の量に応じた巻き取り間隔を設定する。そして制御部１０は、記憶部１１に記憶されていたフィルタ６の使用時間を開始時間として、フィルタ６の使用時間の計時を開始する（Ｓ４）。即ち、例えば記憶部１１に記憶されていたフィルタ６の使用時間が１００時間であった場合、制御部１０は、１００時間からの計時を行なう。
【００４７】
制御部１０は、ステップＳ４で開始した計時処理に基づいて、現在使用中のフィルタ６の使用時間が、ステップＳ３で設定した巻き取り間隔以上となったか否かを判断する（Ｓ５）。フィルタ６の使用時間が巻き取り間隔以上となっていないと判断した場合（Ｓ５：ＮＯ）、制御部１０は、空気調和機１の運転の終了を指定されたか否かを判断する（Ｓ６）。
【００４８】
運転の終了を指定されていないと判断した場合（Ｓ６：ＮＯ）、制御部１０は、ステップＳ５に処理を戻し、フィルタ６の使用時間が巻き取り間隔以上となるまで、又は運転の終了を指定されるまでステップＳ５，Ｓ６の処理を繰り返しつつ、冷房運転又は暖房運転を行なう。フィルタ６の使用時間が巻き取り間隔以上となったと判断した場合（Ｓ５：ＹＥＳ）、制御部１０は、サーボモータ１６を駆動させることによってフィルタ６を所定長だけ巻き取る（Ｓ８）。なお、サーボモータ１６を駆動させた場合、サーボモータ１６からの駆動力によって駆動軸７及び巻き取り芯６ａが回転し、この回転に伴ってフィルタ６が巻き取られる。
【００４９】
またフィルタ６は、塵埃が付着した領域の全てが巻き取られる必要があり、また、１回に巻き取る巻き取り量（所定長）は、フィルタ６の配置位置に基づいて決定される。例えば、駆動軸７の中心軸と従動軸８の中心軸との距離と同程度の長さを１回に巻き取ることによって、吸込口２ａに対向する位置には常に清浄なフィルタ６が配置される。なお、所定長のフィルタ６の巻き取りは、サーボモータ１６への通電時間の制御、サーボモータ１６を駆動させるためにサーボモータ１６へ出力される駆動パルスの出力回数又はパルス長の制御等によって制御される。
【００５０】
制御部１０は、フィルタ終了検出部１５からの信号に基づいて、フィルタ終了検出部１５がフィルタ６に形成された終了マーク６ｃを検出したか否か、即ちフィルタ６の使用が終了したか否かを判断する（Ｓ９）。フィルタ６の使用が終了していないと判断した場合（Ｓ９：ＮＯ）、制御部１０は、ステップＳ２に処理を移行し、埃センサ９によって空気中の塵埃の量を検知し（Ｓ２）、上述した処理を繰り返す。これにより、制御部１０は、フィルタ６が所定時間（設定された巻き取り間隔）以上使用された場合に、フィルタ６を巻き取ると共に、この時点での空気中の塵埃の量を検知し、新しく使用されるフィルタ６に対する巻き取り間隔を設定する。
【００５１】
フィルタ６の使用が終了したと判断した場合（Ｓ９：ＹＥＳ）、制御部１０は、報知部１３によって、フィルタ６の交換をユーザに報知し（Ｓ１０）、ステップＳ２に処理を移行する。なお、運転の終了を指定されたと判断した場合（Ｓ６：ＹＥＳ）、制御部１０は、今回の空気中の塵埃の量と、使用中のフィルタ６の使用時間とを記憶部１１に記憶させ（Ｓ７）、空気調和機１の運転を終了する。ここでは、制御部１０は、ステップＳ２で検知した塵埃の量が前回運転時の塵埃の量と異なる場合に、ステップＳ２で検知した塵埃の量を今回の塵埃の量として記憶部１１に記憶させる。
【００５２】
上述したように、駆動軸７及び従動軸８によって張架されたフィルタ６を適宜巻き取ることにより、従来の空気調和機のようにフィルタ及びフィルタを清掃するための器具等を清掃することなく、吸込口２ａに対向する箇所には常に清浄なフィルタ６を配置させることができる。また、空気調和機１の使用環境（空気中の塵埃の量）に応じてフィルタ６を巻き取る時間間隔を変更することにより、使用環境に拘わらず常に清浄なフィルタ６を使用できる。更に、駆動軸７によってフィルタ６を巻き取る構成とすることにより、長さが異なる複数種類のフィルタ６のいずれも用いることができ、汎用のフィルタ６の利用が可能となり、ユーザの利便性が増す。
【００５３】
本実施形態１の空気調和機１は、駆動軸７によってフィルタ６を巻き取る都度、空気中の塵埃の量を検知して次にフィルタ６を巻き取るまでの時間（巻き取り間隔）を設定する構成であった。このほかに、例えば、空気調和機１の運転開始時又は空気調和機１の運転中に定期的に、空気中の塵埃の量を検知して巻き取り間隔を適宜変更するように構成してもよい。なお、このように構成した場合、適宜のタイミングで検知した空気中の塵埃の量がその直前に検知した塵埃の量と異なることが考えられる。従って、この場合には、その時点でのフィルタ６の使用時間を、新たに検知した塵埃の量に対応する使用時間に換算し、得られた使用時間からの計時処理を行なえばよい。これにより、例えば空気調和機１を運転させた日又は時間帯等によって空気中の塵埃の量が異なるような使用環境においても、適切なタイミングでフィルタ６を巻き取ることができる。
【００５４】
本実施形態１では、埃センサ９が、吸込口２ａから吸い込まれてフィルタ６を通過し、熱交換器３によって空調された後の空気中の塵埃の量を検知する位置に配置されていた。このほかに、例えば、吸込口２ａから吸い込まれてフィルタ６を通過する前の空気中の塵埃の量を検知する位置に埃センサ９を配置してもよい。このように埃センサ９をフィルタ６の風下側に設けた場合とフィルタ６の風上側に設けた場合とにおいて、埃センサ９が検知する塵埃の量が異なる可能性が高い。従って、埃センサ９が検知する塵埃の量に応じて設定されるフィルタ６の巻き取り間隔は、埃センサ９の配置位置に応じて異ならせる必要がある。なお、埃センサ９は予め空気調和機１に設けられているものであるので、例えば工場からの出荷前に、埃センサ９が検知する塵埃の量に応じた適切な巻き取り間隔を記憶部１１に記憶させておけばよい。
【００５５】
本実施形態１では、空気中の塵埃の量に応じてフィルタ６の巻き取りタイミングを異ならせていたが、例えば、油煙及び煙草等の煙、臭気等も考慮してフィルタ６の巻き取りタイミングを設定してもよい。
【００５６】
（実施形態２）
以下に、本発明に係る空気調和機を適用した実施形態２の空気調和機について説明する。なお、本実施形態２の空気調和機１は、上述した実施形態１の空気調和機１の構成と類似しており、同一の構成については同一の符号を付して説明を省略する。具体的には、本実施形態２の空気調和機１は、図１に示した実施形態１の空気調和機１が備える埃センサ９の代わりにフィルタセンサ１７（図５参照）を備える。
【００５７】
図５はフィルタ６及びフィルタセンサ１７を示す模式図である。本実施形態２の空気調和機１は、室内機２の内部の適宜箇所に、フィルタ６の表面に付着した塵埃の量を検知するフィルタセンサ（フィルタ検知部）１７が設けられている。なお、フィルタセンサ１７は、吸込口２ａから吸い込まれた空気がフィルタ６を通過する際にフィルタ６によって除去された塵埃の量を検知するので、吸込口２ａとフィルタ６との間で、フィルタ６の表面が直接観察できる位置に設けられる必要がある。図示は省略するが、例えば、室内機２の前面の内側の、吸込口２ａが設けられた領域の中央近傍の位置にフィルタセンサ１７が設けられる。
【００５８】
フィルタセンサ１７は、例えばＬＥＤ(Light Emitting Diode)を用いて発光する発光部と受光する受光部とを備える。フィルタセンサ１７は、発光部によってフィルタ６の表面に対して光Ｌ１を照射し、受光部によってフィルタ６の表面からの反射光Ｌ２を受光する。また、フィルタセンサ１７は、定期的に発光及び受光を行ない、受光した反射光Ｌ２の強度を検知信号として制御部１０へ出力する。
【００５９】
フィルタ６に付着した塵埃の量が多いほど、フィルタ６からの反射光Ｌ２の強度が弱くなる傾向があるので、反射光Ｌ２の強度に基づいてフィルタ６自体の汚れ具合を判断できる。なお、油煙及び煙草等が多い環境で空気調和機１を使用した場合、フィルタ６に塵埃が付着するのに伴ってフィルタ６が着色するので、より容易にフィルタ６の汚れ具合を判断できる。よって、本実施形態２の制御部１０は、フィルタセンサ１７が受光した反射光Ｌ２の強度が所定値未満となった場合に、サーボモータ１６を駆動させることによってフィルタ６を所定長だけ巻き取る。なお、フィルタ６を巻き取るか否かの判断基準（所定値）は、フィルタ６の材料等を考慮して予め実験的に算出されて記憶部１１に格納されている。
【００６０】
以下に、本実施形態２の空気調和機１における制御処理について説明する。図６は実施形態２の空気調和機１における制御処理の手順を示すフローチャートである。なお、以下の処理は、記憶部１１に格納されている制御プログラムに従って制御部１０によって実行される。
【００６１】
空気調和機１が運転を開始した場合、制御部１０は、フィルタセンサ１７の発光部に光Ｌ１を照射させ、受光部が受光した反射光Ｌ２の強度を検知する（Ｓ２１）。制御部１０は、フィルタセンサ１７による反射光Ｌ２の強度検知を定期的に（所定時間間隔で）行なっており、反射光Ｌ２の強度を検知した場合に、次に反射光Ｌ２を検知するまでの所定時間の計時を開始する（Ｓ２２）。
【００６２】
制御部１０は、ステップＳ２１で検知した反射光Ｌ２の強度が、記憶部１１に予め格納されている所定値未満であるか否かを判断する（Ｓ２３）。反射光Ｌ２の強度が所定値以上であると判断した場合（Ｓ２３：ＮＯ）、制御部１０は、ステップＳ２７に処理を移行する。反射光Ｌ２の強度が所定値未満であると判断した場合（Ｓ２３：ＹＥＳ）、制御部１０は、サーボモータ１６を駆動させることによってフィルタ６を所定長だけ巻き取る（Ｓ２４）。これにより、制御部１０は、フィルタ６が所定以上に汚れた場合に、フィルタ６を巻き取ることができる。
【００６３】
制御部１０は、フィルタ終了検出部１５からの信号に基づいて、フィルタ終了検出部１５がフィルタ６に形成された終了マーク６ｃを検出したか否か、即ちフィルタ６の使用が終了したか否かを判断する（Ｓ２５）。フィルタ６の使用が終了していないと判断した場合（Ｓ２５：ＮＯ）、制御部１０は、ステップＳ２７に処理を移行する。フィルタ６の使用が終了したと判断した場合（Ｓ２５：ＹＥＳ）、制御部１０は、報知部１３によって、フィルタ６の交換をユーザに報知する（Ｓ２６）。
【００６４】
制御部１０は、空気調和機１の運転の終了を指定されたか否かを判断し（Ｓ２７）、運転の終了を指定されていないと判断した場合（Ｓ２７：ＮＯ）、ステップＳ２２で開始した計時処理に基づいて、所定時間が経過したか否かを判断する（Ｓ２８）。所定時間が経過していないと判断した場合（Ｓ２８：ＮＯ）、制御部１０は、ステップＳ２７に処理を戻し、運転の終了を指定されるまで、又は所定時間が経過するまでステップＳ２７，Ｓ２８の処理を繰り返しつつ、冷房運転又は暖房運転を行なう。
【００６５】
制御部１０は、所定時間が経過したと判断した場合（Ｓ２８：ＹＥＳ）、ステップＳ２１に処理を戻し、ステップＳ２１〜Ｓ２８の処理を繰り返し、運転の終了を指定されたと判断した場合（Ｓ２７：ＹＥＳ）、空気調和機１の運転を終了する。
【００６６】
上述したように、本実施形態２の空気調和機１では、フィルタ６の実際の汚れ具合に基づいてフィルタ６を適宜巻き取るので、フィルタ６の汚れ具合を常に一定以下に保つことができ、常に清浄なフィルタ６の使用が可能となる。
【００６７】
上述した実施形態１の空気調和機１は、空気中の塵埃の量に応じた巻き取り間隔でフィルタ６を巻き取る構成であり、本実施形態２の空気調和機１は、フィルタ６が所定以上汚れた場合にフィルタ６を巻き取る構成であった。これらの構成を組み合わせて用いることもできる。例えば、空気中の塵埃の量に応じて設定された巻き取り間隔でのフィルタ６の巻き取りを行ないつつ、フィルタ６が所定以上汚れた場合には、設定された巻き取り間隔の経過を待たずにフィルタ６を巻き取るようにしてもよい。
【００６８】
（実施形態３）
以下に、本発明に係るイオン発生装置を適用した実施形態３のイオン発生装置について説明する。図７は実施形態３のイオン発生装置の構成例を示す縦断面図である。なお、本実施形態３のイオン発生装置３１は、上述した実施形態１の空気調和機１の構成と類似しており、同一の構成については同一の符号を付して説明を省略する。具体的には、本実施形態３のイオン発生装置３１は、図１に示した実施形態１の空気調和機１が備える熱交換器３の代わりに、正イオン、負イオン、又は正負両イオンを発生させるイオン発生器（イオン発生部）３３を備える。
【００６９】
イオン発生器３３は、図示しないが、例えば、一方の端部が閉じられた円筒状の誘電体であるガラス管の外周面に沿って接地電極が配置され、内周面に沿って印加電極が配置されて構成されている。また、印加電極には高周波回路が接続されており、接地電極を接地電位として印加電極には高周波回路により交流電圧が印加される。印加電極に交流高電圧が印加されると、メッシュ状の接地電極の端面が強電界になり、接地電極からプラズマ放電が生じ、これが空気中の酸素及び水蒸気を電離してイオンを発生させる。
【００７０】
なお、本実施形態３のイオン発生装置３１において、制御部１０が行なう制御処理は、上述した実施形態１で説明した図４に示した処理と同一であるので説明を省略する。
【００７１】
上述した構成により、本実施形態３のイオン発生装置３１においても、従来の装置のようにフィルタ及びフィルタを清掃するための器具等を清掃することなく、吸込口２ａに対向する箇所には常に清浄なフィルタ６を配置させることができる。イオン発生器３３によるイオンの発生量は風量の低下に伴って減少する傾向がある。しかし、本実施形態３のイオン発生装置３１では常に清浄なフィルタ６を使用できるので風量の低下を防止でき、イオンの発生量を減少させず、イオン発生装置３１の性能を維持できる。
【００７２】
本実施形態３では、イオン発生器３３が、フィルタ６の風下側の近傍位置に配置されているが、このような配置位置に限らず、例えば、埃センサ９の風下側、送風機４とルーバ５との間の位置等に配置されてもよい。
【００７３】
本実施形態３のイオン発生装置３１は、上述した実施形態１の空気調和機１の変形例として説明したが、上述した実施形態２の空気調和機１のように構成することもできる。即ち、イオン発生装置３１内部の空気中の塵埃を検知する埃センサ９の代わりに、フィルタ６の表面に付着した塵埃を検知するフィルタセンサ１７を備える構成とすることもできる。
【００７４】
上述した各実施形態の装置は、巻き芯６ｂに巻かれていたフィルタ６が全て巻き取り芯６ａに巻き取られた場合（フィルタ６が終了した場合）に、フィルタ６の交換を行なうようにユーザに報知する構成であった。このような構成に更に、フィルタ６が終了した場合に強制的に装置の運転を終了させる構成を備えてもよい。ただし、空気調和機及びイオン発生装置において、フィルタ６が汚れているということは重大な事故ではないので、上述した各実施形態のようにユーザに報知する構成に留めておく方がユーザの利便性がよい。また、例えば、フィルタ６が終了した場合に強制的に装置の運転を終了させるのか、装置の運転を終了させないのかをユーザが選択できるように構成してもよい。このような構成とした場合、ユーザが使用環境の清浄化を優先するのか、装置の運転を優先するのかに応じて適切な使用条件の設定が可能となり、ユーザの利便性が向上する。
【００７５】
なお、本願は、フィルタ６の構成に特徴を有するものであり、上述したような空気調和機及びイオン発生装置のほかにも、空気清浄機、除湿機、加湿器等のようにエアーフィルタが装着される機器に適用できる。
【００７６】
以上、本発明の好適な実施形態についてそれぞれ具体的に説明したが、各構成及び動作等は適宜変更可能であって、上述の実施形態に限定されることはない。
【符号の説明】
【００７７】
１  空気調和機
２  室内機
２ａ  吸込口
２ｂ  吹出口
３  熱交換器
６  フィルタ
６ａ  巻き取り芯（ローラ）
６ｂ  巻き芯
７  駆動軸
８  従動軸
９  埃センサ（空気検知部）
１０  制御部
１５  フィルタ終了検出部（終了検出部）
１７  フィルタセンサ（フィルタ検知部）
３１  イオン発生装置
３３  イオン発生器（イオン発生部）
【図１】
2011112283.tif 000003
【図２】
2011112283.tif 000004
【図３】
2011112283.tif 000005
【図４】
2011112283.tif 000006
【図５】
2011112283.tif 000007
【図６】
2011112283.tif 000008
【図７】
2011112283.tif 000009